【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
支持体上に、中間層、感光層をこの順に有する電子写真感光体において、
該中間層の膜厚が０．３〜５μｍであり、
該中間層が有機電子輸送物質を含有し、
該感光層が高分子量正孔輸送物質を含有する
ことを特徴とする電子写真感光体。
【請求項２】
前記感光層が電荷発生層および電荷輸送層を有し、該電荷輸送層が前記高分子量正孔輸送物質を含有し、該高分子量正孔輸送物質の重量平均分子量若しくは分子量が８００以上である請求項１に記載の電子写真感光体。
【請求項３】
前記中間層に含有される有機電子輸送物質が有機顔料であり、該中間層が結着樹脂中に該有機顔料が分散されてなる層である請求項１または２に記載の電子写真感光体。
【請求項４】
前記感光層が電荷発生物質としてフタロシアニン顔料を含有する請求項１〜３のいずれかに記載の電子写真感光体。
【請求項５】
前記フタロシアニン顔料がオキシチタニウムフタロシアニンである請求項４に記載の電子写真感光体。
【請求項６】
前記フタロシアニン顔料がガリウムフタロシアニンである請求項４に記載の電子写真感光体。
【請求項７】
前記有機電子輸送物質が、下記式（１）〜（１５）で示される化合物から選ばれる何れかである請求項１〜６の何れかに記載の電子写真感光体：
【化１】
2004093804.tif 000001
（上記式（１）中、Ｒ１１は、置換または無置換のアルキル基、または、置換または無置換のアリール基を示す。Ｒ１２〜Ｒ１５は、それぞれ独立に、水素原子、ハロゲン原子、シアノ基、ニトロ基、カルボン酸エステル基、置換基を有してもよいアルキル基、または、置換または無置換のアルコキシ基を示す。Ａ１１は、置換または無置換のシクロアルキレン基、置換または無置換のアリーレン基、下記式（１０１）で示される構造を有する２価の基、または、下記式（１０２）で示される構造を有する２価の基を示す：
【化２】
2004093804.tif 000002
【化３】
2004093804.tif 000003
（上記式（１０１）、（１０２）中、Ｒ１０１１〜Ｒ１０１４、Ｒ１０２１、Ｒ１０２２は、それぞれ独立に、水素原子、置換または無置換のアルキル基、または、置換または無置換のアリール基を示し、ｎは、０または１を示す））；
【化４】
2004093804.tif 000004
（上記式（２）中、Ｒ２１は、炭素数７〜４１の２級アルキル基、または、下記式（２０１）で示される構造を有する基であり、
【化５】
2004093804.tif 000005
（上記式（２０１）中、Ｒ２０１１〜Ｒ２０１５は、それぞれ独立に、水素原子、または、炭素数３〜８の分枝状アルキル基を示す。ただし、Ｒ２０１１〜Ｒ２０１５のうち水素原子は２つ以上であり、かつ、総てが水素原子であることはない）、
Ａ２１は、置換または無置換の炭素数５〜７のシクロアルキレン基、置換または無置換のフェニレン基、置換または無置換のナフチレン基、置換または無置換のピリジレン基、ナフチレン基より高次である置換または無置換の２価の融合芳香族炭素環基、ピリジレン基より高次である置換または無置換の２価の融合芳香族複素環式基、又は下記式（２０２）〜（２０４）で示される構造を有する２価の基の何れかを示す：
【化６】
2004093804.tif 000006
、
【化７】
2004093804.tif 000007
（上記式（２０３）中、Ｒ２０３１、Ｒ２０３２は、それぞれ独立に、置換または無置換の炭素数１〜４のアルキル基、置換または無置換のフェニル基、または、置換または無置換の４−トリル基を示す）、
【化８】
2004093804.tif 000008
（上記式（２０４）中、Ｒ２０４１、Ｒ２０４２は、それぞれ独立に、置換または無置換の炭素数１〜４のアルキル基、置換または無置換のフェニル基、または、置換または無置換の４−トリル基を示す）、
Ｒ２２〜Ｒ２９は、それぞれ独立に、水素原子、アルキル基、アリール基、ヘテロアリール基、ハロゲン原子、シアノ基、ニトロ基、−ＯＲ２０５１、−ＣＯＲ２０５１、−ＣＯＯＲ２０５１、−ＯＣＯＲ２０５１、−ＣＯＮＲ２０５１Ｒ２０５２、−ＯＣＯＮＲ２０５１Ｒ２０５２、−ＮＲ２０５１Ｒ２０５２、−ＮＲ２０５１ＣＯＲ２０５２、−ＮＲ２０５１ＣＯＯＲ２０５２、−ＮＲ２０５１ＳＯ２Ｒ２０５２、−ＳＯ２Ｒ２０５１、−ＳＯ３Ｒ２０５１、−ＳＯ２ＮＲ２０５１Ｒ２０５２、または、−Ｎ＝Ｎ−Ｒ２０５１を示し、ただし、Ｒ２０５１、Ｒ２０５２は、それぞれ独立に、置換または無置換の炭素数１〜４のアルキル基、置換または無置換のフェニル基、または、置換または無置換の４−トリル基を示す）；
【化９】
2004093804.tif 000009
【化１０】
2004093804.tif 000010
【化１１】
2004093804.tif 000011
。
【請求項８】
前記高分子量正孔輸物質が、下記式（Ａ）〜（Ｃ）で示される化合物から選ばれる何れかである請求項２に記載の電子写真感光体：
【化１２】
2004093804.tif 000012
（上記式（Ａ）中、ＲＡ１〜ＲＡ５は、それぞれ独立に、置換または無置換のアルキル基、置換または無置換のアリール基、あるいはそれらの誘導体、または、ハロゲン原子を示し、ａ１、ｂ１、ｃ１は、それぞれ独立に、０〜５の整数を示し、ｄ１、ｅ１は、それぞれ独立に、０〜４の整数を示す。ｎ１は、１以上の整数を示す）；
【化１３】
2004093804.tif 000013
（上記式（Ｂ）中、ＲＢ１、ＲＢ２は、それぞれ独立に、置換または無置換のアルキル基、置換または無置換のアルコキシル基を示し、ａ２、ｂ２は、それぞれ独立に、０〜５の整数を示し、ｍ２、ｎ２は、それぞれ独立に、１以上の整数を示し、ＸＢ１は、単結合、−Ｏ−、−Ｓ−、−ＣＨ２−、−Ｃ（ＣＨ３）２−、および下記式Ｂ−１〜Ｂ−３で示される２価の基からなる群より選択される少なくとも１種と、下記式Ｂ−４〜Ｂ−１４で示される２価の基からなる群より選択される少なくとも１種との組み合わせによって得られる２価の基である：
Ｂ−１
【化１４】
2004093804.tif 000014
、
Ｂ−２
【化１５】
2004093804.tif 000015
、
Ｂ−３
【化１６】
2004093804.tif 000016
、
Ｂ−４
【化１７】
2004093804.tif 000017
、
Ｂ−５
【化１８】
2004093804.tif 000018
、
Ｂ−６
【化１９】
2004093804.tif 000019
、
Ｂ−７
【化２０】
2004093804.tif 000020
、
Ｂ−８
【化２１】
2004093804.tif 000021
、
Ｂ−９
【化２２】
2004093804.tif 000022
、
Ｂ−１０
【化２３】
2004093804.tif 000023
、
Ｂ−１１
【化２４】
2004093804.tif 000024
、
Ｂ−１２
【化２５】
2004093804.tif 000025
、
Ｂ−１３
【化２６】
2004093804.tif 000026
、
Ｂ−１４
【化２７】
2004093804.tif 000027
（上記式Ｂ−９〜Ｂ−１４中、ＲＢ１１〜ＲＢ２２は、それぞれ独立に、メチル基またはフェニル基である）；
【化２８】
2004093804.tif 000028
（上記式（Ｃ）中、ＲＣ１〜ＲＣ５は、それぞれ独立に、水素原子、または、１価の炭化水素基を示し、ａ３は、０〜４の整数を示し、ＡｒＣ１、ＡｒＣ２は、それぞれ独立に、２価の芳香族炭化水素基であり、ｋ３は、０以上の整数を示し、ｍ３は、１以上の整数を示し、ｎ３は、２以上の整数を示す））。
【請求項９】
請求項１〜８のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１０】
請求項１〜８のいずれかに記載の電子写真感光体、帯電手段、露光手段、現像手段および転写手段を有することを特徴とする電子写真装置。